(57)【要約】      （修正有）【課題】載置された物品の移動をよりスムーズに行うことができる物品移動具、及びそれを備えた陳列棚を提供する。【解決手段】複数のローラー部材２と、ローラー部材２が載置されるベース部材３と、ベース部材３との間にローラー部材２を回転自在に収容してベース部材３に固定される固定部材４とを備え、各ローラー部材２は、軸線が互いに略平行した状態で、且つ、外周面の一部が固定部材４よりも上方に膨出した状態で、軸線方向に直交する一方向に沿って複数配列され、ローラー部材２が配置された領域に載置された物品を一方向に沿って移動可能に構成された物品移動具１であって、固定部材４は、一方向に沿って形成された複数の固定部材第一部位と、ローラー部材２の軸線に沿って形成された複数の固定部材第二部位とを備えており、各固定部材第一部位は、ローラー部材２の端部に隣接する位置でベース部材３に固定されている。【選択図】図１
0003205405.tif 000002
【実用新案登録請求の範囲】
【請求項１】
複数のローラー部材と、該ローラー部材が載置されるベース部材と、該ベース部材との間にローラー部材を回転自在に収容してベース部材に固定される固定部材とを備え、各ローラー部材は、軸線が互いに略平行した状態で、且つ、外周面の一部が固定部材よりも上方に膨出した状態で、軸線方向に直交する一方向に沿って複数配列され、ローラー部材が配置された領域に載置された物品を一方向に沿って移動可能に構成された物品移動具であって、
前記固定部材は、前記一方向に沿って形成された複数の固定部材第一部位と、ローラー部材の軸線に沿って形成された複数の固定部材第二部位とを備えており、
各固定部材第一部位は、ローラー部材の端部に隣接する位置でベース部材に固定されており、固定部材第一部位の上面は、ローラー部材に隣接する端部に向かって、該端部よりも中央側の領域から傾斜するように形成されており、
各固定部材第二部位は、固定部材第一部位との交差位置において固定部材第一部位よりも上方へ突出しないことを特徴とする物品移動具。
【請求項２】
前記固定部材第二部位は、ローラー部材が間に位置するように前記一方向に間隔を空けて配列されており、固定部材第二部位の上面は、ローラー部材に隣接する端部に向かって、該端部よりも中央側の領域から傾斜するように形成されていることを特徴とする請求項１に記載の物品移動具。
【請求項３】
前記ローラー部材の外周面の固定部材に対する膨出量は、ローラー部材の直径に対して、１．５％以上１５％以下であることを特徴とする請求項１又は２に記載の物品移動具。
【請求項４】
前記ローラー部材は、軸線方向に更に複数配置されると共に、軸線方向で隣接するローラー部材の軸線同士が前記一方向の異なる位置となるように配置されていることを特徴とする請求項１乃至３の何れか一項に記載の物品移動具。
【請求項５】
請求項１乃至４の何れか一項に記載の物品移動具を備えることを特徴とする陳列棚。
【考案の詳細な説明】
【技術分野】
【０００１】
本考案は、例えば、陳列棚等に載置された物品を一方向に沿って移動可能にする物品移動具、及び、該物品移動具を備えた陳列棚に関する。
【背景技術】
【０００２】
従来から、スーパーマーケットやコンビニエンスストア等の店舗においては、商品を陳列して販売等する際に、陳列棚が使用される。斯かる陳列棚は、限られた空間に多数の物品を収納することができると共に、物品を視認し易くすることができるため、物品の管理を容易に行うことが可能となり、更には、顧客に対して物品を効果的にアピールすることが可能となる。
【０００３】
陳列棚に収容される物品としては、例えば、飲料水や洗剤等の液体を瓶、缶又はペットボトル等の容器に収容したものが挙げられる。このような物品を陳列棚に収納する際には、陳列棚の手前側（顧客が立つ側）から奥側に向かって物品が列を成すように物品が配列される。これにより、顧客が陳列棚の手前側に位置する物品を手に取りやすくなると共に、陳列棚の奥側から物品の列に物品を補充することが可能となっている。
【０００４】
顧客等によって陳列棚の手前側に位置する物品が取除かれた場合、陳列棚には、物品が載置されていない領域が生じることになる。斯かる領域を物品で埋めるためには、斯かる領域よりも陳列棚の奥側に位置する物品を手前側に移動させる必要がある。例えば、列を成す物品を陳列棚の奥側から手前側に向かって新たな物品で押し込むことで、物品の列が手前側に移動し、斯かる領域が物品で埋められる。又は、陳列棚の手前側よりも奥側の高さ位置を高くすることで、物品の列が自重で手前側に移動し、斯かる領域が物品で埋められる。
【０００５】
このように、陳列棚上で物品を移動させる際には、陳列棚と物品との摩擦を低減し、物品を移動し易くすることが求められる。そこで、陳列棚上に物品の移動を容易にする物品移動具を載置し、該物品移動具上に物品を載置することが提案されている。該物品移動具としては、陳列棚の手前側と奥側とを結ぶ一方向に沿って配列された複数のローラー部材を備えるものが提案されている。そして、該ローラー部材の列上に物品が載置されることで、ローラー部材の回転によって物品を容易に陳列棚の手前側に移動させることが可能となっている（特許文献１参照）。
【先行技術文献】
【特許文献】
【０００６】
【特許文献１】特開２００３−３３９４８８号公報
【考案の概要】
【考案が解決しようとする課題】
【０００７】
しかしながら、上記のような物品移動具であっても、載置される物品の形状や重量等によっては、物品を陳列棚の手前側にスムーズに移動させることができない場合があり、物品の移動がよりスムーズな物品移動具が求められている。
【０００８】
そこで、本考案は、載置された物品の移動をよりスムーズに行うことができる物品移動具、及び、該物品移動具を備えた陳列棚を提供することを課題とする。
【課題を解決するための手段】
【０００９】
本考案に係る物品移動具は、  複数のローラー部材と、該ローラー部材が載置されるベース部材と、該ベース部材との間にローラー部材を回転自在に収容してベース部材に固定される固定部材とを備え、各ローラー部材は、軸線が互いに略平行した状態で、且つ、外周面の一部が固定部材よりも上方に膨出した状態で、軸線方向に直交する一方向に沿って複数配列され、ローラー部材が配置された領域に載置された物品を一方向に沿って移動可能に構成された物品移動具であって、
前記固定部材は、前記一方向に沿って形成された複数の固定部材第一部位と、ローラー部材の軸線に沿って形成された複数の固定部材第二部位とを備えており、
各固定部材第一部位は、ローラー部材の端部に隣接する位置でベース部材に固定されており、固定部材第一部位の上面は、ローラー部材に隣接する端部に向かって、該端部よりも中央側の領域から傾斜するように形成されており、
各固定部材第二部位は、固定部材第一部位との交差位置において固定部材第一部位よりも上方へ突出しないことを特徴とする。
【００１０】
斯かる構成によれば、固定部材第一部位の上面がローラー部材に隣接する端部（ローラー隣接端部とも記す）に向かって傾斜するように形成されていることで、ローラー隣接端部とローラー部材とが接触した際の接触面積が小さくなる。これにより、ローラー部材が回転した状態で固定部材第一部位の端部に接触した際の摩擦が低減され、該摩擦によってローラー部材が回転し難くなるのが抑制される。このため、物品移動具上に載置された物品を前記一方向に沿って移動させる際に、ローラー部材の回転によって物品の移動が妨げられるのを抑制することができ、よりスムーズに物品を移動させることができる。
【００１１】
前記固定部材第二部位は、ローラー部材が間に位置するように前記一方向に間隔を空けて配列されており、固定部材第二部位の上面は、ローラー部材に隣接する端部に向かって、該端部よりも中央側の領域から傾斜するように形成されていることが好ましい。
【００１２】
斯かる構成によれば、ローラー部材上を移動する物品と固定部材第二部位とが接触する際の衝撃を低減することができる。具体的には、固定部材第二部位は、物品の移動方向（前記一方向）に直交するように形成されているため、物品と接触した際に物品に衝撃が加わることになる。しかしながら、固定部材第二部位の上面がローラー部材に隣接する端部（ローラー隣接端部とも記す）に向かって傾斜するように形成されていることで、固定部材第二部位と物品との接触面積が小さくなるため、物品に加わる衝撃が抑制される。これにより、斯かる衝撃が物品の移動の妨げとなるのを抑制し、よりスムーズに物品を移動させることが可能となる。
【００１３】
前記ローラー部材の外周面の固定部材に対する膨出量は、ローラー部材の直径に対して、１．５％以上１５％以下であることが好ましい。
【００１４】
斯かる構成によれば、ローラー部材上を移動する物品が固定部材と接触することによって生じる抵抗を抑制することができると共に、ローラー部材上を移動する物品がローラー部材間に入り込んでローラー部材に側方から接触し、物品に衝撃が加わり、物品の姿勢が不安定になるのが防止される。これにより、物品をよりスムーズに移動させることが可能となる。
【００１５】
前記ローラー部材は、軸線方向に更に複数配置されると共に、軸線方向で隣接するローラー部材の軸線同士が前記一方向の異なる位置となるように配置されていることが好ましい。
【００１６】
斯かる構成によれば、ローラー部材が軸線方向に沿って更に複数配列されることで、ローラー部材が前記一方向だけでなく、軸線方向にも広がって面状に配置されることになる。そして、軸線方向で隣接するローラー部材の軸線同士が前記一方向の異なる位置となる（一方向にピッチがズレている）ことで、面状に配置された複数のローラー部材のうち、前記一方向に沿って配列されたローラー部材の間隔を狭くすることができる。言い換えれば、前記一方向に沿って配列された複数のローラー部材のうち、一のローラー部材と前記一方向で隣接する他のローラー部材との間隔を狭くすることができる。
【００１７】
このため、軸方向で隣接する少なくとも２つのローラー部材上を物品が移動する際に、物品がローラー部材間に入り込んでローラー部材に側方から接触し、物品に衝撃が加わるのが防止される。特に、上述のように、固定部材第一部位、及び、固定部材第二部位の上面が傾斜するように形成されていることで、ローラー部材の軸線方向の端部の一部は、各ローラー隣接端部よりも上方に位置するとになるが、軸線方向で隣接するローラー部材のピッチが前記一方向にズレていることで、ローラー部材の間隔が密になり、ローラー部材の軸線方向の端部に物品が接触して物品に衝撃が加わるのを抑制することができる。これにより、物品をよりスムーズに移動させることが可能となる。
【００１８】
本考案に係る陳列棚は、上記の物品移動具を備えることを特徴とする。
【考案の効果】
【００１９】
以上のように、本考案によれば、載置された物品の移動をよりスムーズに行うことができる。
【図面の簡単な説明】
【００２０】
【図１】本実施形態に係る物品移動具の平面図と、その一部を拡大した斜視図。
【図２】同実施形態に係る物品移動具の構成を示した斜視図。
【図３】同実施形態に係る物品移動具の断面であって、（ａ）は、物品移動具を一方向に沿って見た際の断面図、（ｂ）は、物品移動具をローラー部材の軸線に沿って見た際の断面図。
【考案を実施するための形態】
【００２１】
以下、本考案の実施形態について図１〜３を参照しながら説明する。
【００２２】
本実施形態に係る物品移動具１は、物品（缶ジュース、缶ビール、ペットボトル等）を載置する陳列棚（図示せず）に設置されて用いられるものである。具体的には、物品移動具１は、陳列棚上に載置されて用いられ、物品が載置されることで、物品を陳列棚の奥側から手前側に向かって移動可能に構成されている。なお、以下の説明では、陳列棚の手前側を「前」、陳列棚の奥側を「後」ともいう。また、物品移動具１における物品を載置する側を「上」、物品を載置する側に対向する側を「下」ともいう。
【００２３】
物品移動具１は、図１に示すように、全体が板状に形成されている。そして、物品移動具１は、一方の面上に載置された物品を一方向に沿って移動可能に構成されている。具体的には、物品移動具１は、物品を載置する領域に複数のローラー部材２を備え、該ローラー部材２上に物品が載置されることで物品が一方向に沿って移動可能となっている。ローラー部材２は、軸線が略平行するように軸線に直交する一方向に沿って複数配列されると共に、軸線方向に複数配置されている。本実施形態では、物品移動具１は、図２に示すように、複数のローラー部材２と、該ローラー部材２が載置されるベース部材３と、該ベース部材３に固定される固定部材４とを備えている。
【００２４】
ローラー部材２は、物品と接触するローラー本体部２ａと、該ローラー本体部２ａの軸線方向の両端部から突出するローラー軸部２ｂ、２ｂとから構成されている。また、ローラー部材２は、軸線方向が長手となるように形成されている。具体的には、ローラー本体部２ａが軸線に沿って長手となるように形成されている。ローラー部材２の直径（ローラー本体部２ａの直径）としては、特に限定されるものではなく、４ｍｍ以上であることが好ましく、５ｍｍ以上であることがより好ましい。また、７ｍｍ以下であることが好ましく、６ｍｍ以下であることがより好ましい。
【００２５】
ベース部材３は、板状に形成されている。また、ベース部材３は、厚み方向に貫通する複数のベース部材貫通孔３ａを備え、該ベース部材貫通孔３ａの周囲にベース部材枠部３ｂが形成されている。ベース部材貫通孔３ａは、平面視矩形状に形成されている。また、該ベース部材貫通孔３ａは、ローラー部材２の一部を収容可能に構成されている。具体的には、ベース部材貫通孔３ａは、ローラー部材２がベース部材３上に載置された際に、ローラー本体部２ａの軸線よりも下側を収容可能に構成されている。
【００２６】
ベース部材貫通孔３ａは、物品移動具１におけるローラー部材２の設置位置に対応する位置に形成されている。具体的には、ベース部材貫通孔３ａは、平面視における長手方向が平行するように、該長手方向に直交する一方向に沿って複数形成されている。更に、ベース部材貫通孔３ａは、平面視における長手方向に複数形成されている。そして、長手方向で隣接するベース部材貫通孔３ａ同士が前記一方向の異なる位置に形成されている。一方、ベース部材枠部３ｂは、ベース部材３上にローラー部材２が載置された状態で、ローラー軸部２ｂが上方から当接するように構成されている。
【００２７】
固定部材４は、前記一方向に沿って形成された複数の固定部材第一部位４ａと、ローラー部材２の軸線に沿って形成された複数の固定部材第二部位４ｂとを備えている。本実施形態では、固定部材４は、３個の固定部材第一部位４ａと、１０個の固定部材第二部位４ｂとから構成されている。
【００２８】
各固定部材第一部位４ａは、前記一方向に沿った棒状の形状を有している。また、各固定部材第一部位４ａは、ローラー部材２（具体的には、ローラー本体部２ａ）が間に位置するようにローラー部材２の軸線方向に間隔を空けて配列されている。固定部材第一部位４ａは、固定部材４がベース部材３に取り付けられた際に、ベース部材枠部３ｂに上方から当接するように構成されている。
【００２９】
また、固定部材第一部位４ａは、ベース部材３に取り付けられた際に、ローラー軸部２ｂを収容する軸収容部４ｃを備えている。該軸収容部４ｃは、固定部材第一部位４ａの下側に形成された凹部によって構成されている。該凹部は、下方及びローラー部材２側に向かって開放するように形成されている。
【００３０】
各固定部材第二部位４ｂは、ローラー部材２の軸線に沿った棒状の形状を有している。また、各固定部材第二部位４ｂは、ローラー部材２が間に位置するように前記一方向に間隔を空けて配列されている。また、固定部材第二部位４ｂは、間隔を空けて配置された２つの固定部材第一部位４ａ，４ａの間に位置し、両端部が固定部材第一部位４ａと連結されている。つまり、固定部材４は、複数の固定部材第一部位４ａと複数の固定部材第二部位４ｂとによって格子状に形成されている。
【００３１】
また、固定部材第二部位４ｂの上面は、固定部材第一部位４ａの上面と同一平面上に形成される。これにより、物品移動具１が陳列棚上に載置された状態で、固定部材第二部位４ｂの上面と固定部材第一部位４ａの上面とは、略等しい高さ位置に配置される。また、固定部材第二部位４ｂは、長手方向で隣接するもの同士が前記一方向の異なる位置となるように配置されている。そして、２つの固定部材第一部位４ａと、２つの固定部材第二部位４ｂとによって形成された開口部４ｄからローラー部材２の一部（上側）が物品移動具１の上面に露出するように構成されている。
【００３２】
物品移動具１を形成する際には、各ローラー部材２の軸線が平行するように前記一方向に沿って複数のローラー部材２がベース部材３上に載置される。この際、各ベース部材貫通孔３ａに各ローラー部材２の下方側の一部が収容される。これにより、ベース部材貫通孔３ａによってローラー部材２の位置決めが成される。また、ベース部材３上にローラー部材２が載置された状態で、一対のローラー軸部２ｂ、２ｂは、ベース部材枠部３ｂに上方から当接した状態となる。
【００３３】
次に、固定部材４がベース部材３の上方からベース部材３に取り付けられる。本実施形態では、複数の固定部材４がベース部材３に取り付けられる。具体的には、ベース部材３上に載置された複数のローラー部材２がベース部材３と複数の固定部材４との間に収容されるように構成されている。固定部材４がベース部材３に取り付けられることで、固定部材第一部位４ａに形成された軸収容部４ｃにローラー軸部２ｂが収容されると共に、固定部材第一部位４ａがベース部材枠部３ｂに上方から当接した状態となる。
【００３４】
斯かる状態では、軸収容部４ｃを構成する凹部は、ローラー軸部２ｂを収容した状態で下方からベース部材枠部３ｂによって閉塞されると共に、ローラー部材２側には開放した状態となる。そして、軸収容部４ｃ内のローラー軸部２ｂと、軸収容部４ｃを構成する凹部の内壁との間には、隙間が形成されている。もちろん、ローラー本体部２ａの長手方向の大きさは、ベース部材貫通孔３ａ、及び、固定部材第二部位４ｂの長手方向の大きさよりも小さくなるように形成されている。これにより、ローラー部材２は、ベース部材３と固定部材４との間に回転自在に収容（装着）されている。
【００３５】
ベース部材３と固定部材４との間に収容されたローラー部材２は、固定部材４よりも上方に外周面の一部（ローラー本体部２ａの上部）が膨出した状態となる。ローラー部材２の膨出量ｄ３としては、ローラー部材２（ローラー本体部２ａ）の直径に対して、１．５％以上であることが好ましく、１５％以下であることが好ましい。具体的には、０．１ｍｍ以上であることが好ましく、０．９ｍｍ以下であることが好ましい。ローラー部材２の膨出量ｄ３がこのような範囲であることで、物品がローラー本体部２ａ上に確実に乗るため、陳列棚が傾斜している場合であっても、ローラー本体部２ａに側方から物品が接触するのが抑制される。これにより、ローラー本体部２ａとの接触によって、移動する物品に衝撃が加わり、物品の姿勢が不安定となって物品が転倒するのを抑制することができると共に、物品をスムーズに移動させることができる。
【００３６】
固定部材第一部位４ａ、及び、固定部材第二部位４ｂは、図３に示すように、上面がローラー部材２に隣接する端部（以下、ローラー隣接端部ともいう）に向かって、該端部よりも中央側の領域から傾斜するように形成されている。具体的には、図３（ａ）に示すように、固定部材第一部位４ａのローラー隣接端部４ｅは、固定部材第一部位４ａの中央側の領域よりも肉薄となるように形成されている。これにより、固定部材第一部位４ａの上面は、固定部材第一部位４ａの中央側からローラー隣接端部４ｅ側に向かって傾斜する（本実施形態では、円弧状に傾斜する）ように形成されている。固定部材第一部位４ａにおける上面の中央部とローラー部材２に隣接する端縁との高さ位置の差ｄ１としては、０．１ｍｍ以上であることが好ましく、０．３ｍｍ以上であることがより好ましい。また、１．５ｍｍ以下であることが好ましく、１．０以下であることがより好ましい。
【００３７】
また、図３（ｂ）に示すように、固定部材第二部位４ｂのローラー隣接端部４ｆは、固定部材第二部位４ｂの中央側の領域よりも肉薄となるように形成されている。これにより、固定部材第二部位４ｂの上面は、固定部材第二部位４ｂの中央側からローラー隣接端部４ｆ側に向かって傾斜する（本実施形態では、円弧状に傾斜する）ように形成されている。固定部材第二部位４ｂにおける上面の中央部とローラー部材２に隣接する端縁との高さ位置の差ｄ２としては、０．１ｍｍ以上であることが好ましく、０．３ｍｍ以上であることがより好ましい。また、１．５ｍｍ以下であることが好ましく、１．０以下であることがより好ましい。
【００３８】
次に、上記のように構成された物品移動具１の使用方法について説明する。物品移動具１は、陳列棚上に載置されて使用される。具体的には、物品移動具１の一方向（ローラー部材２の回転方向）が陳列棚の前後方向となるように、物品移動具１が陳列棚上に載置される。そして、物品移動具１上に物品が載置される。物品移動具１上に物品を載置する際には、ローラー部材２の回転方向に沿って（言い換えれば、前記一方向に沿って）物品が列を成すように載置されることが好ましい。
【００３９】
ここで、物品移動具１上において物品の列が複数形成される場合には、物品の列同士の間に仕切部材（図示せず）を配置してもよい。該仕切部材は、板状の形状を有し、物品移動具１の前記一方向（ローラー部材２の回転方向）に沿って配置される。また、仕切部材としては、物品移動具１に取り付け可能に構成されたものを用いることができる。これにより、物品移動具１上の物品が仕切部材に沿って移動することになるため、物品の移動方向が確実に制御される。
【００４０】
物品移動具１上に載置された物品は、物品移動具１の前記一方向（言い換えれば、ローラー部材２の回転方向）に沿って移動可能となる。具体的には、物品移動具１上の物品に対して、前記一方向に沿って力を加えることで、物品と接触するローラー部材２が物品との摩擦によって前記一方向に沿って回転することになる。このようなローラー部材２の回転によって、物品が前記一方向に沿ってローラー部材２上を搬送されるため、物品移動具１上で物品が容易に移動することになる。
【００４１】
これにより、陳列棚に物品移動具１を載置した際には、陳列棚の後側から前側に向かって、物品の列に力を加えることで、物品の列の全体を陳列棚の前側へ容易に移動せることが可能となる。或いは、物品移動具１を陳列棚に載置した際に、陳列棚の後側に位置する物品移動具１の端部が陳列棚の前側に位置する端部よりも高くなるようにすることで、物品の自重によってローラー部材２が回転するため、物品の列を陳列棚の前側へ容易に移動させることが可能となる。
【００４２】
以上のように、本考案に係る物品移動具、及び、陳列棚によれば、載置された物品の移動をよりスムーズに行うことができる。
【００４３】
即ち、前記物品移動具１、及び、該物品移動具１を備えた陳列棚は、固定部材第一部位４ａの上面がローラー隣接端部４ｅに向かって傾斜するように形成されていることで、ローラー隣接端部４ｅとローラー部材２とが接触した際の接触面積が小さくなる。これにより、ローラー部材２が回転した状態で固定部材第一部位４ａの端部に接触した際の摩擦が低減され、該摩擦によってローラー部材２が回転し難くなるのが抑制される。このため、物品移動具１上に載置された物品を前記一方向に沿って移動させる際に、ローラー部材２の回転によって物品の移動が妨げられるのを抑制することができ、よりスムーズに物品を移動させることができる。
【００４４】
また、ローラー部材２上を移動する物品と固定部材第二部位４ｂとが接触する際の衝撃を低減することができる。具体的には、固定部材第二部位４ｂは、物品の移動方向（前記一方向）に直交するように形成されているため、物品と接触した際に物品に衝撃が加わることになる。しかしながら、固定部材第二部位４ｂの上面がローラー隣接端部４ｆに向かって傾斜するように形成されていることで、固定部材第二部位４ｂと物品との接触面積が小さくなるため、物品に加わる衝撃が抑制される。これにより、斯かる衝撃が物品の移動の妨げとなるのを抑制し、よりスムーズに物品を移動させることが可能となる。
【００４５】
更に、ローラー部材２上を移動する物品が固定部材４と接触することによって生じる抵抗を抑制することができると共に、ローラー部材２上を移動する物品がローラー部材２間に入り込んでローラー部材２に側方から接触し、物品に衝撃が加わるのが防止される。これにより、物品をよりスムーズに移動させることが可能となる。
【００４６】
また、ローラー部材２が軸線方向に沿って更に複数配置されることで、ローラー部材２が前記一方向だけでなく、軸線方向にも広がって面状に配置されることになる。そして、軸線方向で隣接するローラー部材２の軸線同士が前記一方向の異なる位置となる（一方向にピッチがズレている）ことで、面状に配置された複数のローラー部材２のうち、前記一方向に沿って配列されたローラー部材２の間隔を狭くすることができる。言い換えれば、前記一方向に沿って配列された複数のローラー部材２のうち、一のローラー部材２と前記一方向で隣接する他のローラー部材２との間隔を狭くすることができる。
【００４７】
このため、軸方向で隣接する少なくとも２つのローラー部材２上を物品が移動する際に、物品がローラー部材２間に入り込んでローラー部材２に側方から接触し、物品に衝撃が加わるのが防止される。特に、上述のように、固定部材第一部位４ａ、及び、固定部材第二部位４ｂの上面が傾斜するように形成されていることで、ローラー部材２の軸線方向の端部の一部は、各ローラー隣接端部４ｅ，４ｆよりも上方に位置するとになるが、軸線方向で隣接するローラー部材２のピッチが前記一方向にズレていることで、ローラー部材２の間隔が密になり、ローラー部材２の軸線方向の端部に物品が接触して物品に衝撃が加わるのを抑制することができる。これにより、物品をよりスムーズに移動させることが可能となる。
【００４８】
なお、本考案に係る物品移動具は、上記実施形態に限定されるものではなく、本考案の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４９】
例えば、上記実施形態では、各ローラー隣接端部４ｅ，４ｆの上面は、円弧状に傾斜するように形成されているが、これに限定されるものではなく、直線状であってもよい。また、上記実施形態では、各ローラー隣接端部４ｅ，４ｆの上面が傾斜するように構成されているが、これに限定されるものではなく、少なくともローラー隣接端部４ｅの上面が傾斜するように形成されていればよい。
【符号の説明】
【００５０】
１…物品移動具、２…ローラー部材、２ａ…ローラー本体部、２ｂ…ローラー軸部、３…ベース部材、３ａ…ベース部材貫通孔、３ｂ…ベース部材枠部、４…固定部材、４ａ…固定部材第一部位、４ｂ…固定部材第二部位、４ｃ…軸収容部、４ｄ…開口部、４ｅ，４ｆ…ローラー隣接端部
【図１】
0003205405.tif 000003
【図２】
0003205405.tif 000004
【図３】
0003205405.tif 000005